(57)【要約】【課題】流入口接続管と、流出口接続管との相対位置が異なる複数のタイプの排水トラップ本体を低コストで製造する方法を提供する。【解決手段】外型と、内型と、下型と、第一及び第二の流入口接続管の内面を成形する流入口接続管入れ子型と、流出口接続管の内面を成形する流出口入れ子型とによって排水トラップ本体を製造する方法であって、上記第一及び第二の流入口接続管入れ子型は、上記内型と衝合する状態と、衝合しない状態とを切り換えられるように、位置が変更可能であり、外型、内型、下型及び流出口入れ子型が所定位置に配置され、第一及び第二の流入口接続管入れ子型のいずれかを内型と衝合する状態にし、他方を内型と衝合しない状態にした後に、熱可塑性合成樹脂を供給し射出成形により上記排水トラップ本体を得る。【選択図】  図３
2009127333.tif 000002
【特許請求の範囲】
【請求項１】
略碗状に成形される排水トラップ本体の側部の外面を成形する外型と、
上記排水トラップ本体側部の内面及び底部の内面を成形する内型と、
上記排水トラップ本体底部の外面を成形する下型と、
上記排水トラップ本体側部から略管状に突出する第一の流入口接続管の内面を成形する第一の流入口接続管入れ子型と、
上記第一の流入口接続管と同じ高さ位置に、上記排水トラップ本体側部から略筒状に突出する第二の流入口接続管の内面を成形する第二の流入口接続管入れ子型と、
上記第一及び第二の流入口接続管より上方側に、上記排水トラップ本体側部から略筒状に突出する流出口接続管の内面を成形する流出口入れ子型と、
によって上記排水トラップ本体を製造する方法であって、
上記第一及び第二の流入口接続管入れ子型は、上記内型と衝合する状態と、衝合せずに上記排水トラップ本体の側部を形成するための所定厚さ分の間隔が形成される状態と、を切り換えられるように、水平方向の位置が変更可能であり、
上記外型、上記内型、上記下型及び上記流出口入れ子型が所定の位置に配置され、
上記第一の流入口接続管入れ子型及び上記第二の流入口接続管入れ子型のいずれか一方を上記内型と衝合する状態にし、且つ他方を上記内型と衝合せずに上記トラップ本体の側部の厚さ分の間隙が形成される状態にした後に、
これら型により形成される間隙に熱可塑性合成樹脂を供給し射出成形により上記排水トラップ本体を得ることを特徴とする排水トラップ本体の製造方法。
【請求項２】
略碗状に成形される排水トラップ本体の側部の外面を成形する外型と、
上記排水トラップ本体側部の内面及び底部の内面を成形する内型と、
上記排水トラップ本体底部の外面を成形する下型と、
上記排水トラップ本体側部から略管状に突出する第一の流入口接続管の内面を成形する第一の流入口接続管入れ子型と、
上記第一の流入口接続管と同じ高さ位置に、上記排水トラップ本体側部から略筒状に突出する第二の流入口接続管の内面を成形する第二の流入口接続管入れ子型と、
上記第一の流入口接続管と同じ高さ位置に、上記排水トラップ本体側部から略筒状に突出する第三の流入口接続管の内面を成形する第三の流入口接続管入れ子型と、
上記第一及び第二の流入口接続管より上方側に、上記排水トラップ本体側部から略筒状に突出する流出口接続管の内面を成形する流出口入れ子型と、
によって上記排水トラップ本体を製造する方法であって、
上記第一ないし第三の流入口接続管入れ子型は、上記内型と衝合する状態と、衝合せずに上記排水トラップ本体の側部を形成するための所定厚さ分の間隔が形成される状態と、を切り換えられるように、水平方向の位置が変更可能であり、
上記外型、上記内型、上記下型及び上記流出口入れ子型が所定の位置に配置され、
上記第一の流入口接続管入れ子型ないし上記第三の流入口接続管入れ子型のいずれか一又は二を上記内型と衝合する状態にし、且つ残余を上記内型と衝合せずに上記トラップ本体の側部の厚さ分の間隙が形成される状態にした後に、
これら型により形成される間隙に熱可塑性合成樹脂を供給し射出成形により上記排水トラップ本体を得ることを特徴とする排水トラップ本体の製造方法。
【請求項３】
略碗状に成形される排水トラップ本体であって、
上記排水トラップ本体側部下方に開口された流入口と、
該流入口の周縁から略管状に突出する流入口接続管と、
上記流入口と同じ高さ位置に、上記排水トラップ本体側部から略管状に突出するも上記排水トラップ本体側部に開口は形成されず閉塞された状態の擬似流入口接続管と、
上記流入口より上方側の上記排水トラップ本体側部に開口された流出口と、
該流出口の周縁から略管状に突出する流出口接続管と、
を備えることを特徴とする排水トラップ本体。
【請求項４】
前記流入口接続管及び前記擬似流入口接続管は、その管径が等しいことを特徴とする請求項３記載の排水トラップ本体。
【請求項５】
前記流出口接続管は、その管径が前記流入口接続管及び擬似流入口接続管の管径よりも大きいことを特徴とする請求項３記載の排水トラップ本体。
【請求項６】
前記擬似流入口接続管には目印が施されていることを特徴とする請求項３記載の排水トラップ本体。
【請求項７】
前記擬似流入口接続管は、前記流入口接続管よりその突出量が大きいことを特徴とする請求項３記載の排水トラップ本体。
【請求項８】
前記流入口接続管及び前記擬似流入口接続管は、前記排水トラップ本体の直径上の対向位置に配置されていることを特徴とする請求項３記載の排水トラップ本体。
【発明の詳細な説明】
【技術分野】
【０００１】
本発明は、浴室等に設けられる排水トラップの、略碗状に成形される排水トラップ本体に関する。また、本発明は、斯かる排水トラップ本体の製造方法に関する。
【背景技術】
【０００２】
一般住戸の浴室ユニット等で採用される排水トラップは、図７に示すように、排水トラップ１００の外殻等を形成する主要部１０１と、この主要部１０１を洗い場の床パンに取設するための取付フランジ１０２と、主要部１０１内に挿入されて封水を形成する封水筒１０３とを備える。
【０００３】
そして、主要部１０１は、それぞれ合成樹脂等で成形された、上部が開口する略碗状の排水トラップ本体１０４と、中央が開口したリング状の蓋部１０５と、溜水室の高さを形成する隔壁１０６とが溶着されて形成される。
【０００４】
排水トラップ本体１０４の側部には、下方側に、浴槽からの排水管が接続される浴槽側接続管１０７と、この浴槽側接続管より上方側に、排水トラップ本体内に流入した排水を浴室外に排出する排水管が接続される排水側接続管１０８とが設けられる。さらに、洗い場の洗面器載置部からの排水管が接続される洗面器側接続管が設けられたものもある。
【０００５】
この浴槽側接続管１０７と排水側接続管１０８との位置関係は、浴室ユニットのタイプや使い勝手により異なるので、排水トラップ本体１０４は、それに合わせて複数のタイプが製造される。
【０００６】
図８にその一例を示す。図８において、浴槽側接続管１０７を実線で示した排水トラップ本体１０４は、浴槽側接続管１０７が排水管側接続管１０８に対して上方から見て時計回りに９０°の位置にあるタイプ（以下、「Ｒ型」という。）であり、浴槽側接続管１０７を破線で示した排水トラップ本体１０４は、浴槽側接続管１０７が排水管側接続管１０８に対して上方から見て反時計回りに９０°の位置にあるタイプ（以下、「Ｌ型」という。）である。
【０００７】
この複数のタイプの排水トラップ本体１０４のうち、Ｒ型の製造方法について、図９を参照して説明する。
【０００８】
まず、図９（ａ）に示すように、二つ割りにした、側部の外面を成形する外型１１１，１１１Ａと、排水トラップ本体側部の内面及び底部の内面を成形する内型１１２とを組み合わせ、これを排水トラップ本体１０４底部の外面を成形する下型１１３上の所定の位置に設置する。
【０００９】
外型には二つの同じ大きさの開口が設けられ、それらの開口には、それぞれ浴槽側接続管用入れ子型１１４、ダミー用入れ子型１１５が嵌入される。また、外型１１１，１１１Ａには、これとは別に、より径の大きい開口が設けられ、そこには排水側接続管用入れ子型（図示せず）が嵌入される。
【００１０】
ダミー用入れ子型１１６が、外型１１１，１１１Ａの開口と同じ外径を有するのに対し、浴槽側接続管用入れ子型１１５は浴槽側接続管１０７の肉厚分小さくなっている。その一方で、浴槽側接続管用入れ子型１１４の長さは、排水トラップ本体の側壁の肉厚分長くなっている。
【００１１】
このように鋳型が組み立てられると、鋳型内に溶融した熱可塑性合成樹脂が射出供給され、合成樹脂が固化すると、図９（ｂ）に示すように、鋳型が解体される。
【００１２】
この鋳型を用いてＬ型の排水トラップ本体を成形する場合、図１０に示すように、浴槽側接続管用入れ子型１１４とダミー用入れ子型１１５とを入れ替えなければならない。
【００１３】
これは、組み換え作業を行う手間が発生するばかりでなく、交換作業の際に金型を傷つけてしまうおそれや、その度に金型温度を調整する手間等も発生する。
【００１４】
このような問題を解決すべく、筐体内に仕切筒を起立し、その外側に通水路を形成し、内側には排水筒を中吊状に垂設して、溜室を設け、該溜室と通水路とを上部にて連通すると共に筐体の周壁には排水口及び適宜数の導入口を設け、該導入口には着脱自在に蓋を係合閉塞するようにした排水トラップがある（例えば、特許文献１参照。）。
【００１５】
しかしながら、この排水トラップでは、使用しない導入口には蓋をしなければならず、また、トラップ内に無駄な凹陥部が形成されるので、ここが汚れ溜まりとなって、衛生上も好ましくない。
【００１６】
また、トラップ本体の縦管部の周縁に複数の貫孔を穿設し、その箇所を覆うような管状継手を回動可能で、かつ水密状に設け、その管状継手側部に排水短管を連結し、その排水短管と前記貫孔とを連通させるようにした洗い場付き浴槽用排水トラップがある（例えば、特許文献２参照。）。
【００１７】
しかしながら、この洗い場付き浴槽用排水トラップでは、縦管部の他に管状継手を製造しなければならず、製造コストが増加する。
【００１８】
さらに、防臭パイプによって封水構造をとる排水トラップにおいて、トラップ本体を、流出口を設けた上部部材と、流入口を設けた下部部材に分割形成し、上部部材と下部部材を相対回転させて接続可能に構成して、前記流出口に対する前記流入口の方向を可変できるように構成した排水トラップも提案されている（例えば、特許文献３参照。）。
【００１９】
しかしながら、この排水トラップでは、トラップ本体を、上部部材と下部部材とに分けて製造しなければならないので、やはり製造コストが増加する。
【００２０】
【特許文献１】実公昭４８−３１５４４号公報
【特許文献２】実開昭５４−６９６５３号公報
【特許文献３】特開２００５−３００５４号公報
【発明の開示】
【発明が解決しようとする課題】
【００２１】
本発明は、上述した事情を考慮してなされたもので、浴槽側接続管や洗面器側接続管等の流入口接続管と、排水側接続管（流出口接続管）との相対位置が異なる複数のタイプの排水トラップ本体を、作業性よく、低コストで製造する方法を提供することを目的とするものである。
【００２２】
本発明の他の目的は、浴槽側接続管や洗面器側接続管等の流入口接続管と、排水側接続管（流出口接続管）との相対位置が異なる複数のタイプの排水トラップ本体を低コストで提供することにある。
【課題を解決するための手段】
【００２３】
本発明に係る排水トラップ本体の製造方法は、上述した課題を解決するために、請求項１に記載したように、略碗状に成形される排水トラップ本体の側部の外面を成形する外型と、上記排水トラップ本体側部の内面及び底部の内面を成形する内型と、上記排水トラップ本体底部の外面を成形する下型と、上記排水トラップ本体側部から略管状に突出する第一の流入口接続管の内面を成形する第一の流入口接続管入れ子型と、上記第一の流入口接続管と同じ高さ位置に、上記排水トラップ本体側部から略筒状に突出する第二の流入口接続管の内面を成形する第二の流入口接続管入れ子型と、上記第一及び第二の流入口接続管より上方側に、上記排水トラップ本体側部から略筒状に突出する流出口接続管の内面を成形する流出口入れ子型とによって上記排水トラップ本体を製造する方法であって、上記第一及び第二の流入口接続管入れ子型は、上記内型と衝合する状態と、衝合せずに上記排水トラップ本体の側部を形成するための所定厚さ分の間隔が形成される状態とを切り換えられるように、水平方向の位置が変更可能であり、上記外型、上記内型、上記下型及び上記流出口入れ子型が所定の位置に配置され、上記第一の流入口接続管入れ子型及び上記第二の流入口接続管入れ子型のいずれか一方を上記内型と衝合する状態にし、且つ他方を上記内型と衝合せずに上記トラップ本体の側部の厚さ分の間隙が形成される状態にした後に、これら型により形成される間隙に熱可塑性合成樹脂を供給し射出成形により上記排水トラップ本体を得るものである。
【００２４】
そして、上述した課題を解決するために、請求項２に係る排水トラップ本体の製造方法は、略碗状に成形される排水トラップ本体の側部の外面を成形する外型と、上記排水トラップ本体側部の内面及び底部の内面を成形する内型と、上記排水トラップ本体底部の外面を成形する下型と、上記排水トラップ本体側部から略管状に突出する第一の流入口接続管の内面を成形する第一の流入口接続管入れ子型と、上記第一の流入口接続管と同じ高さ位置に、上記排水トラップ本体側部から略筒状に突出する第二の流入口接続管の内面を成形する第二の流入口接続管入れ子型と、上記第一の流入口接続管と同じ高さ位置に、上記排水トラップ本体側部から略筒状に突出する第三の流入口接続管の内面を成形する第三の流入口接続管入れ子型と、上記第一及び第二の流入口接続管より上方側に、上記排水トラップ本体側部から略筒状に突出する流出口接続管の内面を成形する流出口入れ子型とによって上記排水トラップ本体を製造する方法であって、上記第一ないし第三の流入口接続管入れ子型は、上記内型と衝合する状態と、衝合せずに上記排水トラップ本体の側部を形成するための所定厚さ分の間隔が形成される状態とを切り換えられるように、水平方向の位置が変更可能であり、上記外型、上記内型、上記下型及び上記流出口入れ子型が所定の位置に配置され、上記第一の流入口接続管入れ子型ないし上記第三の流入口接続管入れ子型のいずれか一又は二を上記内型と衝合する状態にし、且つ残余を上記内型と衝合せずに上記トラップ本体の側部の厚さ分の間隙が形成される状態にした後に、これら型により形成される間隙に熱可塑性合成樹脂を供給し射出成形により上記排水トラップ本体を得るものである。
【００２５】
他方、上述した課題を解決するために、請求項３に係る排水トラップ本体は、略碗状に成形される排水トラップ本体であって、上記排水トラップ本体側部下方に開口された流入口と、該流入口の周縁から略管状に突出する流入口接続管と、上記流入口と同じ高さ位置に、上記排水トラップ本体側部から略管状に突出するも上記排水トラップ本体側部に開口は形成されず閉塞された状態の擬似流入口接続管と、上記流入口より上方側の上記排水トラップ本体側部に開口された流出口と、該流出口の周縁から略管状に突出する流出口接続管とを備えるものである。
【００２６】
そして、前記流入口接続管及び前記擬似流入口接続管は、好適には、請求項４に記載したように、その管径が等しいことが望ましく、前記流出口接続管は、好適には、請求項５に記載したように、その管径が前記流入口接続管及び擬似流入口接続管の管径よりも大きいことが望ましい。
【００２７】
また、前記擬似流入口接続管には、好適には、請求項６に記載したように、目印が施されていてもよく、前記擬似流入口接続管は、好適には、請求項７に記載したように、前記流入口接続管よりその突出量が大きくてもよい。
【００２８】
さらに、前記流入口接続管及び前記擬似流入口接続管は、好適には、請求項８に記載したように、前記排水トラップ本体の直径上の対向位置に配置されていてもよい。
【発明の効果】
【００２９】
本発明に係る排水トラップ本体の製造方法によれば、浴槽側接続管や洗面器側接続管等の流入口接続管と、排水側接続管（流出口接続管）との相対位置が異なる複数のタイプの排水トラップ本体を、作業性よく、低コストで製造することができる。
【００３０】
本発明は、浴槽側接続管や洗面器側接続管等の流入口接続管と、排水側接続管（流出口接続管）との相対位置が異なる複数のタイプの排水トラップ本体を低コストで得ることができる効果が得られる。
【発明を実施するための最良の形態】
【００３１】
本発明に係る排水トラップ本体及びその製造方法の第１の実施形態について、添付図面を参照して説明する。図１は、本実施形態に係る排水トラップ本体１の平面図であり、図２は、図１における排水トラップ本体１のＡ−Ａ方向の断面図である。
【００３２】
排水トラップ本体１は略碗状に形成される。排水トラップ本体１の側部上方には、この排水トラップ本体１に流入した排水を排出する流出口２が開口され、流出口２の周縁からは、この流出口２から流出する排水を排水管へと導出する流出口接続管３が略管状に突出している。
【００３３】
そして、流出口２に対して上方から見て時計回りに９０°の位置の排水トラップ本体１の側部下方には、流入口４が開口され、流入口４の周縁からは、流入口接続管５が略管状に突出する。この流入口接続管５に、例えば浴槽の排水を排出する浴槽排水管が接続され、浴槽の排水を排水トラップ本体１内に導入する。この流入口接続管５は、流出口接続管３よりもその管径は小さく形成されている。
【００３４】
他方、流出口接続管３に対して上方から見て反時計回りに９０°の位置、すなわち、流入口接続管５と排水トラップ本体１の直径上の対向位置には、擬似流入口接続管６が略管状に突出する。
【００３５】
擬似流入口接続管６の管径は、流入口接続管５の管径と同一であり、また、排水トラップ本体１側部における高さも、流入口接続管５と同じ位置に設けられる。
【００３６】
しかしながら、擬似流入口接続管６が突設された位置には、排水トラップ本体１側部に開口は設けられておらず、排水トラップ本体１側部は閉塞されたままである。また、擬似流入口接続管６の長さＬ２は、流入口接続管５の長さＬ１より、排水トラップ本体１側部の厚さＴ分だけ長く形成される。
【００３７】
したがって、擬似流入口接続管６は、流入口接続管５と類似の形状を呈するものの、外部からの水を排水トラップ本体１へと導入する機能を有しておらず、見かけだけの流入口接続管となっている。擬似流入口接続管６と呼ぶ所以である。
【００３８】
なお、これら擬似流入口接続管６と流入口接続管５とは形状が類似するので、これらを容易に識別できるように、シール等の目印をつけてもよい。
【００３９】
以下、流出口接続管３、流入口接続管５及び擬似流入口接続管６がこのような位置関係に配置されたタイプの排水トラップ本体１を、Ｒ型という。
【００４０】
本実施形態に係る排水トラップ本体１は上記のように構成されており、以下その製造方法について説明する。
【００４１】
排水トラップ本体１は、鋳型１０内に溶融した熱可塑性合成樹脂を射出供給することにより成形される。
【００４２】
この鋳型１０は、図３に示すように、排水トラップ本体１の側部の外面を成形する外型１１，１１Ａと、排水トラップ本体１側部の内面及び底部の内面を成形する内型１２と、排水トラップ本体１底部の外面を成形する下型１３と、流入口接続管５及び擬似流入口接続管６の内面を成形する流入口接続管入れ子型１４，１４Ａと、流出口接続管３の内面を成形する流出口入れ子型（図示せず）とにより構成される。なお、外型１１は、二つ割りされて、１１及び１１Ａとから成る。
【００４３】
この鋳型１０を所定の位置に配置すると、図３（ａ）に示すように、同図右側においては、内型１２上部、外型１１、流入口接続管入れ子型１４及び下型１３の外側が面一に配設される。この状態で流入口接続管入れ子型１４は、内型１２の側面と衝合し、その間に間隙は生じない。
【００４４】
これに対し、同図左側においては、流入口接続管入れ子型１４Ａの外側のみ、排水トラップ本体１側部の厚さＴ分突出させている。この状態で流入口接続管入れ子型１４Ａは、内型１２の側面と衝合せず、両者の間に排水トラップ本体１側部の厚さＴ分の間隙が生じている。
【００４５】
このように流入口接続管入れ子型１４，１４Ａは、内型と衝合する状態と、衝合せずに排水トラップ本体１の側部の厚さＴ分の間隙が形成される状態とを切り換えられるように、水平方向の位置が変更可能に構成される。
【００４６】
この状態で鋳型１０内に溶融した熱可塑性合成樹脂を射出供給し、温度が低下して合成樹脂が固化した後に、図３（ｂ）に示すように鋳型１０を解体すると、流入口接続管入れ子型１４側には流入口４及び流入口接続管５が形成され、流入口接続管入れ子型１４Ａ側には、開口は設けられず側部が形成されて閉塞され、擬似流入口接続管６が形成される。
【００４７】
次に、図４（ａ）に示すように、同図左側において、内型１２上部、外型１１Ａ、流入口接続管入れ子型１４Ａ及び下型１３の外側を面一に配設すると、流入口接続管入れ子１４Ａ型は、内型１２の側面と衝合し、その間に間隙は生じない。
【００４８】
そして、同図右側において、流入口接続管入れ子型１４の外側のみ、排水トラップ本体１側部の厚さＴ分突出させると、流入口接続管入れ子型１４は、内型１２の側面と衝合せず、両者の間に排水トラップ本体１側部の厚さＴ分の間隙が生じている。
【００４９】
この状態で鋳型１０内に溶融した熱可塑性合成樹脂を射出供給し、温度が低下して合成樹脂が固化した後に、図４（ｂ）に示すように鋳型１０を解体すると、流入口接続管入れ子型１４Ａ側には流入口４及び流入口接続管５が形成され、流入口接続管入れ子型１４側には、開口は設けられず側部が形成されて閉塞され、擬似流入口接続管６が形成される。
【００５０】
すなわち、流出口２に対して上方から見て反時計回りに９０°の位置の排水トラップ本体１の側部下方には、流入口４及び流入口接続管５が形成され、流出口接続管３に対して上方から見て時計回りに９０°の位置には、擬似流入口接続管６が形成される。この排水トラップ本体１Ａは、上述したＲ型とは左右が逆転したものである（以下、「Ｌ型」という。）。
【００５１】
なお、左右両側において、内型１２上部、外型１１，１１Ａ、流入口接続管入れ子型１４，１４Ａ及び下型１３の外側を面一に配設すると、両方の流入口接続管入れ子型１４，１４Ａは、内型１２の側面と衝合し、その間に間隙は生じないので、両側において、流入口４及流入口接続管５を有する排水トラップ本体を得ることができる。このタイプの排水トラップ本体によれば、浴槽からの排水管の他、洗面器載置部からの排水管も接続することができる。
【００５２】
このように、本実施形態に係る排水トラップ本体１の製造方法によれば、流入口接続管入れ子型１４，１４Ａを排水トラップ本体１の側部の厚さＴ分水平方向の位置を変更するだけで、流入口４及び流入口接続管５の位置が逆転したタイプの排水トラップ本体１Ａを製造することができる。
【００５３】
したがって、従来のように、鋳型の組み換え作業を行う手間がかからないので、交換作業の際に金型を傷つけてしまうおそれや、その度に金型温度を調整する手間等も発生しない。
【００５４】
また、擬似流入口接続管は最初から閉塞されているので、使用しない導入口に蓋をする手間もかからず、また、トラップ内に無駄な凹陥部が形成されないので、汚れ溜まりもできず、衛生上の問題も生じない。
【００５５】
さらに、排水トラップ本体を一体で成形できるので、分割して成形する場合のようにコストが増加することもない。
【００５６】
図５に、本実施形態に係る排水トラップ本体１を製造する鋳型１０のより具体的な例を示す。この例では、下型１３は、その周縁から立設された側壁１３ａを有し、側壁１３ａの内側には、上方に向かって拡開する傾斜が設けられている。
【００５７】
内型１２上部、外型１１，１１Ａ及び流入口接続管入れ子型１４，１４Ａの外側には、これらが所定の位置に納まった場合に、下型１３側壁１３ａの傾斜と一致するよう下方に向かって狭窄する傾斜が設けられている。
【００５８】
また、流入口接続管入れ子型１４，１４Ａの外側には、凹陥部１４ａが設けられ、これとは別に、この鋳型１０には、この凹陥部１４ａに嵌合するスペーサー１５が備えられる。このスペーサー１５は、凹陥部１４ａに嵌合した場合、その外側が流入口接続管入れ子型１４，１４Ａの外側より排水トラップ本体１の側部の厚さＴ分だけ突出する大きさに成されている。
【００５９】
したがって、図５（ａ）に示すように、図右側の流入口接続管入れ子型１４にスペーサー１５を装着した場合、流入口接続管入れ子型１４を下型１３の側壁１３ａ内に挿入すると、側壁１３ａとスペーサー１５とが衝合して流入口接続管入れ子型１４が内方へ押しやられ、内型１２と流入口接続管入れ子型１４とが衝合して、両者の間に間隙が生ぜず、流入口４及び流入口接続管５が成形される。
【００６０】
これに対し、スペーサーが装着されていない同図左側の流入口接続管入れ子型１４Ａは、その外側が側壁１３ａと衝合するので、スペーサー１５がある場合のように流入口接続管入れ子型１４Ａが内方へ押しやられることはなく、流入口接続管入れ子型１４Ａと内型１２との間に排水トラップ本体１の側部の厚さＴ分の間隙が形成され、ここに排水トラップ本体１の側部及び擬似流入口接続管６が形成される。これにより、図３に示した場合と同様に、Ｒ型の排水トラップ本体１を得ることができる。
【００６１】
一方、図５（ｂ）に示すように、図左側の流入口接続管入れ子型１４Ａにスペーサーを装着した場合、上述した場合とは逆に、左右が反転するので、図４に示した場合と同様に、Ｌ型の排水トラップ本体１Ａを得ることができる。
【００６２】
なお、左右両側において、流入口接続管入れ子型１４，１４Ａにスペーサー１５を装着すると、両方の流入口接続管入れ子型１４，１４Ａは、内型１２の側面と衝合し、その間に間隙は生じないので、両側において、流入口４及流入口接続管５を有する排水トラップ本体を得ることができる。このタイプの排水トラップ本体によれば、浴槽からの排水管の他、洗面器載置部からの排水管も接続することができる。
【００６３】
次に、本発明に係る排水トラップ本体の第２の実施形態について、図６を参照して説明する。
【００６４】
本実施形態の排水トラップ本体１Ｂは、同図に示すように、流出口接続管３と排水トラップ本体１Ｂの直径上の対向位置に流入口接続管５または擬似流入口接続管６を備える点で、第１の実施形態におけるものと基本的に相違し、他の構成は第１の実施形態と実質的に同じであり、同じ符号を付して説明を省略する。
【００６５】
この排水トラップ本体１Ｂによれば、どの二つを擬似流入口接続管６とするか、またはどの二つを流入口接続管５とするかの選択が可能となり、より多くの浴室ユニットのタイプや使い勝手に対応することができる。
【００６６】
以上に説明した実施態様は説明のためのものであり、本発明の範囲を制限するものではない。したがって、当業者であればこれらの各要素もしくは全要素をこれと均等なものによって置換した実施態様を採用することが可能であるが、これらの実施態様も本発明の範囲に含まれる。
【図面の簡単な説明】
【００６７】
【図１】本発明に係る排水トラップ本体の第１の実施形態の概要を示す平面図。
【図２】図１に示す排水トラップ本体のＡ−Ａ断面図。
【図３】本実施形態に係る排水トラップ本体の製造方法を説明する模式図で、（ａ）は鋳型を組み立て樹脂を射出したところ、（ｂ）は樹脂射出後鋳型を解体したところをそれぞれ示す図。
【図４】本実施形態に係る排水トラップ本体の、図２とＬＲが異なるタイプの製造方法を説明する模式図で、（ａ）は鋳型を組み立て樹脂を射出したところ、（ｂ）は樹脂射出後鋳型を解体したところをそれぞれ示す図。
【図５】本実施形態に係る排水トラップ本体を製造する鋳型のより具体的な例を示す図で、（ａ）はＲ型、（ｂ）はＬ型を示す図。
【図６】本発明に係る排水トラップ本体の第２の実施形態の概要を示す平面図。
【図７】従来の排水トラップの構成を示す縦断面図。
【図８】従来の排水トラップ本体の平面図。
【図９】従来の排水トラップ本体の製造方法を説明する模式図で、（ａ）は鋳型を組み立て樹脂を射出したところ、（ｂ）は樹脂射出後鋳型を解体したちころをそれぞれ示す図。
【図１０】従来の排水トラップ本体の、図９とＬＲが異なるタイプの製造方法を説明する模式図で、（ａ）は鋳型を組み立て樹脂を射出したところ、（ｂ）は樹脂射出後鋳型を解体したところをそれぞれ示す図。
【符号の説明】
【００６８】
１，１Ａ，１Ｂ  排水トラップ本体
２  流出口
３  流出口接続管
４  流入口
５  流入口接続管
６  擬似流入口接続管
１０  鋳型
１１，１１Ａ  外型
１２  内型
１３  下型
１３ａ  側壁
１４．１４Ａ  流入口接続管入れ子型
１４ａ  凹陥部
１５  スペーサー
【図１】
2009127333.tif 000003
【図２】
2009127333.tif 000004
【図３】
2009127333.tif 000005
【図４】
2009127333.tif 000006
【図５】
2009127333.tif 000007
【図６】
2009127333.tif 000008
【図７】
2009127333.tif 000009
【図８】
2009127333.tif 000010
【図９】
2009127333.tif 000011
【図１０】
2009127333.tif 000012